(57)【要約】【課題】髪の毛や肌の洗浄等に好適に用いられる磁化水を水道水から生成しながら、水道水の持つ運動エネルギを有効に利用し、これによって、例えば磁化水に微細空気を自動的に混入できるようにする。【解決手段】配管２４の外部に互いに対向して設置される少なくとも一対の永久磁石３０を備え該配管２４内を流れる水道水に磁化水処理を施して磁化水を生成する磁化水生成部１６と、出口の流路断面積を入口の流路横断面より小さく設定して内部を流れる水の流速を速めるようにした回転自在な回転管３４と該回転管３４の内周面に設けられた少なくとも１つの羽根３６を有する水力タービン１８とを有する。水力タービン１８の回転管３４の回転で発電する発電機４２と、発電機４２で発電された電力または該発電機４２で発電されてバッテリ６６に蓄えられた電力を利用して磁化水中に微細気泡を発生させて混入させる気泡発生器２２を更に有することが好ましい。【選択図】図１
2011230025.tif 000002
【特許請求の範囲】
【請求項１】
水道管に連結される配管と該配管の外部に互いに対向して設置される少なくとも一対の永久磁石とを備え、前記配管内を流れる水道水に磁化水処理を施して磁化水を生成する磁化水生成部と、
内周面に少なくとも１つの羽根を備え、出口の流路断面積を入口の流路横断面より小さく設定して内部を流れる水の流速を速めるようにした回転自在な回転管を有する水力タービンとを有することを特徴とする磁化水生成供給装置。
【請求項２】
前記水力タービンの前記回転管の回転で発電する発電機と、
前記発電機で発電された電力または該発電機で発電されてバッテリに蓄えられた電力を利用して、前記磁化水生成部で生成された磁化水中に微細気泡を発生させて混入させる気泡発生器とを更に有し、
前記微細気泡が混入した磁化水を放水装置から放水することを特徴とする請求項１記載の磁化水生成供給装置。
【請求項３】
前記配管は、横断面が矩形の矩形配管部を有し、該矩形配管部の外部に複数対の永久磁石を互いに所定間隔離間させて設置して前記磁化水生成部が構成されていることを特徴とする請求項１または２記載の磁化水生成供給装置。
【請求項４】
内周面に少なくとも１つの突起を有する円筒管からなり、前記水力タービンの下流側に設置されて、該水力タービンで生成された旋回流に微細気泡を発生させて混入させる補助気泡発生器を更に有することを特徴とする請求項１乃至３のいずれかに記載の磁化水生成供給装置。
【請求項５】
前記気泡発生器は、所定の周波数で振動する振動板を備え、この振動板の振動によって、前記磁化水を超音波振動させるように構成されていることを特徴とする請求項２乃至４のいずれかに記載の磁化水生成供給装置。
【請求項６】
前記発電機で発電された電力または該発電機で発電されてバッテリに蓄えられた電力を利用して、前記放水装置から放水される前記微細気泡が混入した磁化水に向けて光を照射するＬＥＤライトを更に有することを特徴とする請求項２乃至５のいずれかに記載の磁化水生成供給装置。
【請求項７】
前記発電機で発電された電力または該発電機で発電されてバッテリに蓄えられた電力を利用して前記磁化水の温度を検出する温度センサと、
前記発電機で発電された電力または該発電機で発電されてバッテリに蓄えられた電力を利用して、前記放水装置から放水される前記微細気泡が混入した磁化水に向けて異なる色の光を照射する複数のＬＥＤライトを更に備え、
前記温度センサからの出力信号に応じて、前記ＬＥＤライトの内の一つを選択的に点灯させることを特徴とする請求項２乃至５のいずれかに記載の磁化水生成供給装置。
【請求項８】
前記放水装置は、内部に多数の放水口を有するシャワーヘッドを備えたシャワー設備からなり、
前記複数のＬＥＤライトは、前記シャワーヘッドの内周面または外周面に取り付けられていることを特徴とする請求項７記載の磁化水生成供給装置。
【発明の詳細な説明】
【技術分野】
【０００１】
本発明は、例えばシャワー水や洗顔用水として使用するのに適した性質を有する磁化水を水道水から生成して水道蛇口やシャワーヘッド等の放水装置から放水（供給）するのに使用される磁化水生成供給装置に関する。
【背景技術】
【０００２】
水の構造は、水分子が水素によって互いに引きつけあった結合体（クラスタ）から成り立っており、水道水のクラスタは、例えば平均１２個の水分子からできている。水は、磁気（磁力）の影響を受けると活性化するという性質を有しており、このため、水道水を磁力が働いている磁場を通過させると、例えば平均６個の水分子のクラスタからなる磁化水が生成される。
【０００３】
つまり、水が磁場を通ると水の中に電気が流れ、この電気の刺激で水の分子間の結合が分裂する。この分裂は、磁場が強力なほど、また磁場を通る水の流れが速いほど活発に生じる。このため、例えば、互いに対向する位置にＮ極とＳ極が対面するように配置された一対の永久磁石の間を、ある流速（例えば２ｍ／ｓ以上）で水道水を通す磁気処理を施すことで、水道水から磁化水が生成される。
【０００４】
磁化水は、水道水に比べクラスタが小さくなることで、水道水とは異なる性質を有するようになる。つまり、クラスタが水道水と比べて小さい磁化水は、浸透性、つまり染み込む力が高まり、例えば髪の毛や肌の洗浄に使用すると、髪の毛や肌の表面の固形物や油成分の異物質等により深く浸透して、髪の毛または肌の表面からそれらを容易に分離し易くする効果がある。これにより、水道水を使用した時よりも磁化水を使用した方が洗浄力を高めることができる。また、磁化水は、表面張力と粘性が水道水より高まるため、水の蒸発を抑えて、髪の毛や肌の保湿効果を良くする長所もある。
【０００５】
更に、磁化水を飲料水として使用すると、水道水を使用した時に比べて、一般に腸の吸収率が高まり、粘性が上がるため、動く度に抵抗を強くして、ばい菌やバクテリアの活動性を低下させるといった効果や、野菜等の洗浄に磁化水を使用すると、保水効果が高まって、野菜の鮮度が高まる等の効果を併せ持つ。
【０００６】
磁化水の上記のような長所を利用するため、水道管の途中に一対の永久磁石を互いに対向させて設置し、水道管を流れる水（水道水）が一対の永久磁石のＳ極とＮ極によって形成される磁場を通るようにすることで、水道管を通る水道水から磁化水を生成して、水道蛇口等から放出することが提案されている（特許文献１，２参照）。また、循環水路の途中に、非磁性体からなる細長い形状の断面を有する水路を挟んで、前記断面の長辺に異なる磁性が対向した永久磁石を配置したマグネット装置を設けることで、化粧水等に用いられる磁化水をより小型化した装置で製造することが提案されている（特許文献３参照）。
【先行技術文献】
【特許文献】
【０００７】
【特許文献１】特開２０００−１０７７６４号公報
【特許文献２】特開２００３−２４９４９号公報
【特許文献３】特開２００２−１５３８８１号公報
【発明の概要】
【発明が解決しようとする課題】
【０００８】
磁化水は、水道水に比べて、クラスタが小さいことから、水道水とは異なる性質を有し、髪の毛や肌の洗浄等に好適に用いられる。しかし、磁化水は、石鹸やシャンプー等の洗剤と共に使用すると、洗剤が水（磁化水）に溶け難くなり、洗剤の泡立ちが悪くなって、洗剤の持つ洗浄力を落としてしまうばかりでなく、洗剤を使用して洗った箇所が判らなくなってしまう。
【０００９】
一方、水道水は、所定の運動エネルギを持って水道蛇口やシャワーヘッド等の放水装置から放水されるが、放水装置から放水されて使用されると、その運動エネルギは消えてしまう。この放水装置から固有に捨てられる水の運動エネルギを違う用途で活用したり、異なるエネルギ、例えば電気的なエネルギ等に変換させて活用したりする努力は、今まで殆ど成されていなかった。
【００１０】
本発明は上記に鑑みて為されもので、髪の毛や肌の洗浄等に好適に用いられる磁化水を水道水から生成しながら、水道水の持つ運動エネルギを有効に利用し、これによって、例えば磁化水に微細空気を自動的に混入できるようにした磁化水生成供給装置を提供することを目的とする。
【課題を解決するための手段】
【００１１】
請求項１に記載の発明は、水道管に連結される配管と該配管の外部に互いに対向して設置される少なくとも一対の永久磁石とを備え、前記配管内を流れる水道水に磁化水処理を施して磁化水を生成する磁化水生成部と、内周面に少なくとも１つの羽根を備え、出口の流路断面積を入口の流路横断面より小さく設定して内部を流れる水の流速を速めるようにした回転自在な回転管を有する水力タービンとを有することを特徴とする磁化水生成装置である。
【００１２】
これにより、少なくとも一対の永久磁石を使用した磁化水生成部で水道水から磁化水を生成し、しかも水道水のもつ運動エネルギを有効に利用して水力タービンの回転管を回転させて回転動力を得ることができる。
【００１３】
請求項２に記載の発明は、前記水力タービンの前記回転管の回転で発電する発電機と、前記発電機で発電された電力または該発電機で発電されてバッテリに蓄えられた電力を利用して、前記磁化水生成部で生成された磁化水中に微細気泡を発生させて混入させる気泡発生器とを更に有し、前記微細気泡が混入した磁化水を放水装置から放水することを特徴とする磁化水生成供給装置である。
【００１４】
これにより、少なくとも一対の永久磁石を使用した磁化水生成部で水道水から磁化水を生成し、この磁化水に、水道水の持つエネルギを有効に利用して微細気泡を混入させ、微細気泡が混入した磁化水として、放水装置から放水（供給）することができる。磁化水中に微細気泡を混入すると、磁化水中に混入した微細気泡は、磁化水の表面から外に出る時に、微細気泡の内外の圧力差によって爆発する。このように、微細気泡が磁化水の表面近傍で爆発すると、例えば髪の毛や肌の表面の固形物質や油成分の異物質が破壊され、同時に、磁化水の表面に付近に浮遊している洗剤を混ぜ合わせて溶かすことで、泡立ちも良くなって、洗浄力が向上する。微細気泡は、例えばサイズが１〜１００μｍ程度のマイクロバブルや、例えばサイズが１μｍ未満程度のナノバブルである。
【００１５】
請求項３に記載の発明は、前記配管は、横断面が矩形の矩形配管部を有し、該矩形配管部の外部に複数対の永久磁石を互いに所定間隔離間させて設置して前記磁化水生成部が構成されていることを特徴とする請求項１または２記載の磁化水生成供給装置である。
【００１６】
このように、横断面が矩形の矩形配管部の外部に一対の永久磁石を配置することで、一般に横断面が円形の水道管の外部に一対の永久磁石を配置した場合に比べて、水道水により大きな磁力をより均一に作用させることができる。また、複数対の永久磁石を互いに所定間隔離間させて設置することで、磁化水を段階的に生成することができ、これによって、磁化水である時間をより長くすることができる。
【００１７】
請求項４に記載の発明は、内周面に少なくとも１つの突起を有する円筒管からなり、前記水力タービンの下流側に設置されて、該水力タービンで生成された旋回流に微細気泡を発生させて混入させる補助気泡発生器を更に有することを特徴とする請求項１乃至３のいずれかに記載の磁化水生成供給装置である。
【００１８】
このように、補助気泡発生器によって、水力タービンで生成された旋回流に微細気泡、例えばサイズが１〜１００μｍ程度のマイクロバブルを発生させて混入させることで、より多量の微細気泡を磁化水に混入させ、気泡が爆発するポイントを増大させて、洗浄効果を更に高めることができる。
【００１９】
請求項５に記載の発明は、前記気泡発生器は、所定の周波数で振動する振動板を備え、この振動板の振動によって、前記磁化水を超音波振動させるように構成されていることを特徴とする請求項２乃至４のいずれかに記載の磁化水生成供給装置である。
【００２０】
このように、振動板を所定の周波数で振動させて磁化水を超音波振動させることで、例えばマイクロバブルとナノバブルとが混在する微細気泡を磁化水中に混入させることができる。
【００２１】
請求項６に記載の発明は、前記発電機で発電された電力または該発電機で発電されてバッテリに蓄えられた電力を利用して、前記放水装置から放水される前記微細気泡が混入した磁化水に向けて光を照射するＬＥＤライトを更に有することを特徴とする請求項２乃至５のいずれかに記載の磁化水生成供給装置である。
【００２２】
これにより、水道水の持つエネルギを有効に利用して、放水装置から放水される微細気泡が混入した磁化水に向けてＬＥＤライトから光を照射することができる。
【００２３】
請求項７に記載の発明は、前記発電機で発電された電力または該発電機で発電されてバッテリに蓄えられた電力を利用して前記磁化水の温度を検出する温度センサと、前記発電機で発電された電力または該発電機で発電されてバッテリに蓄えられた電力を利用して、前記放水装置から放水される前記微細気泡が混入した磁化水に向けて異なる色の光を照射する複数のＬＥＤライトを更に備え、前記温度センサからの出力信号に応じて、前記ＬＥＤライトの内の一つを選択的に点灯させることを特徴とする請求項２乃至５のいずれかに記載の磁化水生成供給装置である。
【００２４】
これにより、水道水の持つエネルギを有効に利用して磁化水の温度を検知し、磁化水の温度に応じて、放水装置から放水される微細気泡が混入した磁化水に向けて異なるＬＥＤライトから異なる色の光を照射することで、使用している磁化水の温度の高低を磁化水の色によって認識することができる。
【００２５】
請求項８に記載の発明は、前記放水装置は、多数の放水口を有するシャワーヘッドを備えたシャワー設備からなり、前記複数のＬＥＤライトは、前記シャワーヘッドの内周面または外周面に取り付けられていることを特徴とする請求項８記載の磁化水生成供給装置である。
【００２６】
これにより、磁化水の温度に応じて、シャワーヘッドから放水される微細気泡が混入した磁化水（シャワー水）に向けて、シャワーヘッドの内周面または外周面に取り付けられている複数のＬＥＤライトのうちの一つから他のＬＥＤライトとは異なる色の光を照射することで、シャワー水として使用している磁化水の温度の高低を該シャワー水の色によって認識することができる。
【発明の効果】
【００２７】
本発明によれば、少なくとも一対の永久磁石を使用した磁化水生成部で水道水から磁化水を生成し、水道水の持つエネルギを有効に利用して、例えば磁化水に微細気泡を混入させ、微細気泡が混入した磁化水として、放送装置から放水（供給）することができる。これによって、磁化水の持つ性質を生かしつつ、例えば石鹸やシャンプー等の洗剤と共に使用しても、洗剤が水（磁化水）に溶け易くし、洗剤の泡立ち良くして、洗剤の持つ洗浄力が落ちてしまうことを防止することができる。
【図面の簡単な説明】
【００２８】
【図１】本発明の実施形態の磁化水生成供給装置の概要を示す図である。
【図２】図１のＡ−Ａ線断面図である。
【図３】図１に示す磁化水生成供給装置の水力タービン、補助気泡発生器及び気泡発生器を拡大して示す断面図である。
【図４】図１に示す磁化水生成供給装置の照明装置の概要を拡大して示す平面図である。
【発明を実施するための形態】
【００２９】
以下、本発明の実施形態を図面を参照して説明する。
図１は、本発明の実施形態の磁化水生成供給装置の概要を示す。この例では、水道管１０内を所定の圧力で流れる水道水から磁化水を生成して、内部に多数の放水口を有するシャワーヘッド１２を備えたシャワー設備１４なる放水装置から磁化水を放水（供給）するようにした例を示す。
【００３０】
この実施形態の磁化水生成供給装置は、水道管１０とシャワー設備（放水装置）１４との間に直列に連結された、磁化水生成部１６、水力タービン１８、補助気泡発生器２０及び気泡発生器２２を備えている。これによって、水道管１０内を所定の圧力で流れてきた水道水は、磁化水生成部１６、水力タービン１８、補助気泡発生器２０及び気泡発生器２２を順次通過した後、シャワー設備（放水装置）１４のシャワーヘッド１２から外部に放水（供給）される。
【００３１】
磁化水生成部１６は、水道管１０から流入して内部を流れる水道水から磁化水を生成するためのもので、両端に横断面円形の円形配管部２４ａを有し中央部を横断面矩形の矩形配管部２４ｂとした配管２４を有している。この配管２４は、例えば肉厚が５ｍｍの鉄製で、流路断面積が全長に亘って一定に設定されている。
【００３２】
この例では、矩形配管部２４ｂの矩形断面の一方の長辺側（図２の上側）に位置して、合計５個の第１永久磁石２６が矩形配管部２４ｂの長手方向に沿って等間隔で配置され、矩形配管部２４ｂの矩形断面の他方の長辺側（図２の下側）に位置して、合計５個の第２永久磁石２８が矩形配管部２４ｂの長手方向に沿って等間隔で配置されている。各第１永久磁石２６と各第２永久磁石２８は、互いに対向して異なる磁極（Ｓ極とＮ極）が対面するように配置されて一対の永久磁石３０を構成しており、これによって、配管２４の矩形配管部２４ｂに計５対の永久磁石３０が備えられている。
【００３３】
各第１永久磁石２６及び各第２永久磁石２８は、例えば縦×横が８ｍｍ×８ｍｍで、厚さが６ｍｍの正方形状の形状を有しており、互いに隣接する第１永久磁石２６の間隔Ｌは、互いに隣接する第２永久磁石２８の間隔と同じ、例えば８ｍｍに設定されている。また、互いに対向して一対の永久磁石３０を構成する永久磁石２６，２８の間隔Ｈは、例えば５ｍｍに設定されており、各第１永久磁石２６及び各第２永久磁石２８として、一対の永久磁石３０の間に５０００Ｇ（ガウス）の磁力（磁場）が生じる永久磁石が使用されている。
【００３４】
これにより、水道管１０内を流れた水道水は、流速をほぼ一定にしたまま磁化水生成部１６の配管２４内を流れ、この配管２４内を流れる時に、一対の永久磁石３０による磁力を複数回（この例では５回）に分けて受ける。これによって、水道水を構成するクラスタが所定の割合で小さくなって、水道水からクラスタの小さな磁力水が生成される。
【００３５】
この例のように、横断面矩形の矩形配管部２４ｂに一対の永久磁石３０を配置することで、一般に横断面が円形の水道管の外部に一対の永久磁石を配置した場合に比べて、水道水により大きな磁力をより均一に作用させることができる。また。複数対の永久磁石３０を互いに所定間隔離間させて設置することで、磁化水を段階的に、つまり所定量づつ複数回に分けて生成することができ、これによって、水道水が磁化水である時間をより長くすることができる。
【００３６】
水力タービン１８は、図３に示すように、磁化水生成部１６の配管２４に連続した固定管３２と、この固定管３２に一端を回転自在に支承された回転管３４とを有している。回転管３４は、入口側の流路断面積が大きな大径流路部３４ａと、出口側の流路断面積が小さな小径流路部３４ｂと、大径流路部３４ａと小径流路部３４ｂを繋ぐ流路断面積が徐々に減少する縮径流路部３４ｃとを有しており、この縮径流路部３４ｃから小径流路部３４ｂに掛けて該縮径流路部３４ｃから小径流路部３４ｂ内を流れる磁化水（水道水）によって、回転管３４を回転させる複数の羽根３６が円周方向に沿って等間隔で設けられている。なお、羽根３６は、１枚であっても良い。
【００３７】
回転管３４の大径流路部３４ａの直径は、例えば１０ｍｍで、小径流路部３４ｂの直径は、例えば５ｍｍである。このように、回転管３４の出口側の小径流路部３４ｂの直径を入口側の大径流路部３４ａの直径の１／２として流路断面積を１／４とすることで、出口側の小径流路部３４ｂを流れる磁化水（水道水）の流速を入口側の大径流路部３４ａを流れる磁化水（水道水）の流速の４倍に増加させることができる。
【００３８】
これにより、磁化水生成部１６で生成された磁化水は、水力タービン１８の回転管３４内に流入し、回転管３４の内部に設けられた羽根３６に当たって該回転管３４を回転させ、同時に磁化水が旋回流となって、補助気泡発生装置２０内に流入する。この時、前述のように、回転管３４の出口側の小径流路部３４ｂを流れる磁化水（水道水）の流速が入口側の大径流路部３４ａを流れる磁化水（水道水）の流速よりも速まって、回転管３４をより高速で回転させ、同時に磁化水がより高速な旋回流となる。
【００３９】
この例では、水力タービン１８の回転管３４の外周部に駆動歯車４０が固着され、この駆動歯車４０は、発電機４２の主軸に連結した被動歯車４４と噛み合うようなっている。これによって、水力タービン１８の回転管３４の回転に伴って駆動歯車４０が該回転管３４と一体に回転し、この駆動歯車４０の回転力が被動歯車４４に伝えられて発電機４２の主軸が回転し、この主軸の回転によって、発電機４２で交流電力が発電される。この発電機４２は、電源として使用される。
【００４０】
なお、この例では、発電機４２として、水力タービン１８の回転管３４の回転で主軸を回転させ、主軸の回転によって発電するタイプの発電機を使用しているが、回転管３４の回転に伴って、電力を直接的に発電するようにした発電機を使用しても良い。また、発電機４２を直接電源として使用しているが、下記のように、発電機４２で発電した電力をバッテリ６６に蓄え、この電力を蓄えたバッテリ６６を電源として使用してもよい。
【００４１】
補助気泡発生器２０は、水力タービン１８により旋回流となって内部に流入する磁化水中に気泡を発生させて混入させるためのもので、回転管３４の他端を回転自在に支承する円筒管５０を有している。円筒管５０の内周面には、内方に向けて鋭角で突出する多数の突起５２が、円周方向及び軸方向に沿った所定のピッチで設けられている。
【００４２】
これにより、水力タービン１８の回転筒３４の回転により旋回流となって補助気泡発生部２０の円筒管５０の内部に流入した磁化水が、円筒管５０の内周面に設けられた多数の突起５２に衝突し、これによって、磁化水中に微細気泡、例えばサイズが１〜１００μｍ程度のマイクロバブルが発生して混入する。
【００４３】
補助気泡発生器２０は、水力タービン１８の回転筒３４の回転により磁化水が旋回流となることを利用し、比較的簡単な構成で、磁化水中に混入する微細気泡の量を増大させて、例えば洗浄力を更に高めるためのもので、必ずしも必要ではない。
【００４４】
気泡発生器２２は、磁化水中に微細気泡、例えばサイズが１〜１００μｍ程度のマイクロバブルとサイズが１μｍ未満のナノバルブとを発生させて混入させるためのもので、補助気泡発生器２０から送られてきた磁化水を一旦貯める貯槽５４と、貯槽５４の底部に設置された超音波振動機５６とを備えている。超音波振動機５６は、高周波電力を機械振動に変化して超音波を発生させる振動子５８と、この振動子５８で発生した超音波で振動して貯槽５４内の磁化水を超音波振動させる振動板６０を有している。
【００４５】
超音波振動機５６は、発電機４２で発生した電力を利用して、振動板６０を振動させるように構成されている。つまり、発電機４２はＡＣ／ＤＣ変換器６２に接続され、ＡＣ／ＤＣ変換器６２は超音波発信器６４に接続され、超音波発信器６４は超音波振動機５６の振動子５８に接続されている。これによって、発電機４２で発生した交流電力は、ＡＣ／ＤＣ変換器６２で直流電力に変換され、このＡＣ／ＤＣ変換器６２から出力された直流電力は、超音波発信器６４で高周波電力に変換される。振動子５８は、この超音波発信器６４から出力される高周波電力で超音波を発生し、この振動子５８から発生した超音波で振動板６０が振動し、この振動板６０の振動で貯槽５４内の磁化水が振動する。
【００４６】
なお、この例では、超音波発信器６４をＡＣ／ＤＣ変換器６２を接続して、ＡＣ／ＤＣ変換器６２で変換された直流電力を直接使用するようにしているが、図１に仮想線で示すように、ＡＣ／ＤＣ変換器６２をバッテリ６６に接続し、バッテリ６６を超音波発信器６４に接続することにより、ＡＣ／ＤＣ変換器６２で変換された直流電力をバッテリ６６に蓄え、このバッテリ６６に蓄えた電力を利用するようにしてもよい。
【００４７】
これにより、一対の永久磁石３０を使用した磁化水生成部１６で水道水から磁化水を生成し、この磁化水に、水道水の持つエネルギを利用して作動する気泡発生器２０によって、微細気泡、例えばサイズが１〜１００μｍ程度のマイクロバブルとサイズが１μｍ未満のナノバルブとを混入させることができる。
【００４８】
気泡発生部２２の貯槽５４の出口は、シャワー設備（放水装置）１４のシャワー配管７０の一端に接続され、このシャワー配管７０の他端にシャワーヘッド１２が接続されている。
【００４９】
この例では、シャワー設備１４の側方に位置して、シャワー設備１４のシャワーヘッド１２から放水されるシャワー水に向けて光を照射する照明装置７２が配置されている。この照明装置７２は、図４に示すように、異なる色の光を発する複数（図示では５個）のＬＥＤライト７４ａ〜７４ｅと、この各ＬＥＤライト７４ａ〜７４ｅのシャワーヘッド１２側の前面に配置され、シャワーヘッド１２から放出されるシャワー水を一定の方向から照らすように各ＬＥＤライト７４ａ〜７４ｅから出される光の方向を調整する透明レンズ群７６とを有している。ＬＥＤライト７４ａ〜７４ｅは、スイッチング回路７８を介して、ＡＣ／ＤＣ変換器６２にそれぞれ接続され、このＡＣ／ＤＣ変換器６２から出力される直流電力を利用して点灯するように構成されている。
【００５０】
なお、各ＬＥＤライト７４ａ〜７４ｅをシャワーベッド１２の内周面または外周面に取り付けて、シャワーヘッド１２と複数のＬＥＤライト７４ａ〜７４ｅとを一体化させてもよい。
【００５１】
このスイッチング回路７８は、シャワーヘッド１２から放出されるシャワー水（磁化水）の温度、この例では、貯槽５４内の磁化水の温度を検知し、シャワーヘッド１２から放出されるシャワー水（磁化水）の温度に応じて、ＬＥＤライト７４ａ〜７４ｅのいずれか一つを選択的に点灯するようにスイッチングするためのものである。
【００５２】
つまり、この例では、貯槽５４内に、ＡＣ／ＤＣ変換器６２に接続されて該ＡＣ／ＤＣ変換器６２で変換された直流電力を利用して作動する温度センサ８０が配置されている。そして、この温度センサ８０からのアナログ信号は、Ａ／Ｄ変換器８２でデジタル信号に変換されてマイクロコンピュータ８４に入力され、このマイクロコンピュータ８４からの出力信号（制御信号）でスイッチング回路７８が制御される。マイクロコンピュータ８４には、デジタル信号を基に、温度の高低を判断するアルゴリズムが内蔵されている。
【００５３】
なお、温度センサ８０は、貯槽５４以外の任意の場所に設置しても良く、また、ＬＥＤライト７４ａ〜７４ｅ及び温度センサ８０の電源として、前述のように、バッテリ６６を使用しても良いことは勿論である。
【００５４】
これにより、温度センサ８０からの温度検知信号に基づいて、マイクロコンピュータ８４からスイッチング回路７８に制御信号が出力され、スイッチング回路７８は、マイクロコンピュータ８４からの制御信号に応じて、一つのスイッチのみをオンとする。これによって、このオンとなったスイッチに繋がる一つのＬＥＤライト（例えばＬＥＤライト７４ａ）のみが点灯し、この点灯したＬＥＤライト（例えばＬＥＤライト７４ａ）からの光がシャワー設備１４のシャワーヘッド１２から放出されるシャワー水に向けて照射される。これによって、シャワーヘッド１２から放出されるシャワー水自体に色が付いている如き印象を与えて、洗浄の利便性を高めると共に、シャワーを行っている時の雰囲気や気分を良くし、またシャワーに好奇心を持たせることができる。
【００５５】
この例によれば、シャワーの栓を開くと、微細気泡、例えばサイズが１〜１００μｍ程度のマイクロバブルとサイズが１μｍ未満のナノバルブが混入した磁化水がシャワーヘッド１２から放水され、シャワーヘッド１２から放水される磁化水に向けて、一つのＬＥＤライト（例えばＬＥＤライト７４ａ）から光が照射され、磁化水中に混入した微細気泡は、磁化水の表面から外に出る時に微細気泡の内外の圧力差によって爆発する。これにより、例えば髪の毛や肌の表面の固形物質や油成分の異物質を破壊し、同時に、磁化水の表面に付近に浮遊している洗剤を混ぜ合わせて溶かすことで、泡立ちも良くなって、洗浄力が向上する。これにより、洗剤の使用量を減少させ、環境を良くすることができる。
【００５６】
これまで本発明の一実施形態について説明したが、本発明は上述の実施形態に限定されず、その技術的思想の範囲内において種々異なる形態にて実施されてよいことはいうまでもない。例えば、上記例では、シャワー設備１４を放水装置としている例を示しているが、水道蛇口を放水装置として、水道管と水道蛇口との間に、磁化水生成部１６、水力タービン１８、補助気泡発生器２０及び気泡発生器２２を直列に連結するようにしてもよい。
【符号の説明】
【００５７】
１０  水道管
１２  シャワーヘッド
１４  シャワー設備（放水装置）
１６  磁化水生成部
１８  水力タービン
２０  補助気泡発生器
２２  気泡発生器
２４  配管
２４ｂ  矩形配管部
２６，２８  永久磁石
３０  一対の永久磁石
３２  固定管
３４  回転管
３４ａ  大径流路部
３４ｂ  小径流路部
３４ｃ  縮径流路部
３６  羽根
４０，４４  歯車
４２  発電機
５０  円筒管
５２  突起
５４  貯槽
５６  超音波振動機
５８  振動子
６０  振動板
６２  ＡＣ／ＤＣ変換器
６４  超音波発信器
６６  バッテリ
７０  シャワー配管
７２  照明装置
７４  ＬＥＤライト
７６  透明レンズ群
７８  スイッチング回路
８０  温度センサ
８２  Ａ／Ｄ変換器
８４  マイクロコンピュータ
【図１】
2011230025.tif 000003
【図２】
2011230025.tif 000004
【図３】
2011230025.tif 000005
【図４】
2011230025.tif 000006